(57)【要約】【課題】内鍋を誘導加熱する加熱コイルを制御する制御基板と電源部とを接続コードで接続した調理器において、接続コードを束ねる束線バンドをなくして省資源化、短時間組立を実現するとともに、接続コードがループアンテナとして作用しないようにして外部に放射される高周波雑音を少なくする。【解決手段】有底筒状の上面開口した内鍋２１を加熱コイル２４により誘導加熱し、この加熱コイル２４を制御する制御基板８と調理器本体９内に配置した電源部７とを接続コード１により接続する。接続コード１は、複数本の樹脂被覆電線６、６ａの外周を略円筒状のガラス編組の被覆体２で固着する。【選択図】図１
2005197044.tif 000002
【特許請求の範囲】
【請求項１】
有底筒状の上面開口した内鍋と、この内鍋を誘導加熱する加熱コイルと、この加熱コイルを制御する制御基板と、調理器本体内に配置した電源部と、前記制御基板と前記電源部を接続する接続コードとを備え、前記接続コードは、複数本の樹脂被覆電線の外周を略円筒状のガラス編組の被覆体で固着した調理器。
【請求項２】
電源部は、電源線を出入自在に有するコードリールで構成した請求項１記載の調理器。
【請求項３】
電源部側の近傍で接続コードを下方にＵ字状に垂下する垂下部を形成した請求項１または２記載の調理器。
【発明の詳細な説明】
【技術分野】
【０００１】
本発明は、内鍋を誘導加熱する加熱コイルを制御する制御基板と電源部とを接続コードで接続した調理器に関するものである。
【背景技術】
【０００２】
従来、この種の調理器の誘導加熱コイル周辺の回路は図７に示すような構成になっている。以下、その構成について説明する。
【０００３】
図７に示すように、誘導加熱コイル１１は鍋等を誘導加熱するもので、この誘導加熱コイル１１にインバータ回路２２より高周波電流を供給するよう構成している。誘導加熱コイル１１は、２つの密着コイル部１２、１３を直列接続して構成し、密着コイル部１２の一端から延びる一方の接続コード３１の先端をインバータ回路２２の接続部２８に接続するとともに、密着コイル部１３の一端から延びる他方の接続コード３１ａの先端をインバータ回路２２の接続部２８ａに接続している。
【０００４】
また、誘導加熱コイル１１の各接続コード３１、３１ａは、複数の束線バンド３２により互いに束線されており、この束線バンド３２の位置を適宜設定することで、双方の接続コード３１、３１ａを接触状態に添わせた添線部３３を長さＬの範囲にわたって形成している。
【０００５】
束線バンド３２で束線した箇所の接続コード３１は、図８に示すように、通常、銅製の芯線よりなるリード線部１４と、このリード線部１４を被覆する耐熱性のシリコンゴム被覆１５と、このシリコンゴム被覆１５を調理器本体内部の樹脂あるいは金属のエッジによる傷付きを防止するエッジ被覆部１６で覆われ、接続コード３１ａも同様に構成している（例えば、特許文献１参照）。
【特許文献１】特開平９−３７９２８号公報
【発明の開示】
【発明が解決しようとする課題】
【０００６】
しかしながら、このような従来の構成では、誘導加熱コイル１１とインバータ回路２２とを接続する接続コード３１、３１ａがループアンテナとして作用しなくし、さらには、外部に放射される高周波雑音を少なくするためには、複数箇所の束線バンド３２が必要であった。
【０００７】
また、接続コード３１、３１ａは、通常、調理器本体の内部に配置されるが、調理器本体の内部には板金あるいは樹脂のエッジが存在し、内部の温度も高いため、接続コード３１、３１ａは耐熱性のシリコンゴム被覆１５とガラス編組等のエッジ被覆部１６の２重被覆構成にする必要があった。
【０００８】
また、束線バンド３２をループアンテナとして作用しなくするためには、固定する場所も多数にする必要があり、組み立てに時間がかかり、複数の束線バンド３２が必要であり、省資源化、短時間組立に逆行するという問題を有していた。
【０００９】
本発明は上記従来の課題を解決するもので、接続コードを束ねる束線バンドをなくして省資源化、短時間組立を実現するとともに、接続コードがループアンテナとして作用しないようにして外部に放射される高周波雑音を少なくすることを目的としている。
【課題を解決するための手段】
【００１０】
本発明は上記目的を達成するために、有底筒状の上面開口した内鍋を加熱コイルにより誘導加熱し、この加熱コイルを制御する制御基板と調理器本体内に配置した電源部とを接続コードにより接続し、接続コードは、複数本の樹脂被覆電線の外周を略円筒状のガラス編組の被覆体で固着したものである。
【００１１】
これにより、円筒状のガラス編組の被覆体により複数本の樹脂被覆電線を所定の長さで束ねることができ、接続コードを束ねる束線バンドをなくすことができて省資源化、短時間組立を実現することができるとともに、接続コードがループアンテナとして作用しないようにできて外部に放射される高周波雑音を少なくすることができる。
【発明の効果】
【００１２】
本発明の調理器は、接続コードを束ねる束線バンドをなくすことができて省資源化、短時間組立を実現することができるとともに、接続コードがループアンテナとして作用しないようにできて外部に放射される高周波雑音を少なくすることができる。
【発明を実施するための最良の形態】
【００１３】
第１の発明は、有底筒状の上面開口した内鍋と、この内鍋を誘導加熱する加熱コイルと、この加熱コイルを制御する制御基板と、調理器本体内に配置した電源部と、前記制御基板と前記電源部を接続する接続コードとを備え、前記接続コードは、複数本の樹脂被覆電線の外周を略円筒状のガラス編組の被覆体で固着したものであり、接続コードを束ねる束線バンドをなくすことができて省資源化、短時間組立を実現することができるとともに、接続コードがループアンテナとして作用しないようにできて外部に放射される高周波雑音を少なくすることができ、制御基板と電源部との間に発生する高周波雑音をきわめて少なくすることができる。
【００１４】
第２の発明は、第１の発明において、電源部は、電源線を出入自在に有するコードリールで構成したものであり、使い勝手を良化することができる。
【００１５】
第３の発明は、第１または第２の発明において、電源部側の近傍で接続コードを下方にＵ字状に垂下する垂下部を形成したものであり、万一、調理器本体内に水が浸入したとき、電源部に水がかかるのを防止することができる。
【００１６】
以下、本発明の実施の形態について、図面を参照しながら説明する。なお、この実施の形態によって本発明が限定されるものではない。
【００１７】
（実施の形態１）
図１は本発明の実施の形態１における調理器の縦断面図、図２は調理器の接続コードの平面図、図３は調理器の接続コードの拡大断面図を示すものである。
【００１８】
図１に示すように、内鍋２１は、有底筒状で上面を開口し、調理器本体９に着脱自在に収納している。制御基板８は、インバータ回路（図示せず）を具備し、加熱コイル２４を制御し、加熱コイル２４により内鍋２１を誘導加熱する。電源部７は、電源線７ｂを有し、制御基板８に電流を供給するもので、調理器本体９内に配置している。
【００１９】
接続コード１は、制御基板８と電源部７を接続するもので、図２に示すように、樹脂被覆電線６、６ａを有し、この樹脂被覆電線６、６ａは、図３に示すように、電流を流す芯線５の外周をシリコンゴムなどの耐熱樹脂で覆って構成している。この樹脂被覆電線６、６ａの外周を所定の長さＬ１の間、略円筒状のガラス編組の被覆体２で固定し、調理器本体９内に収納している。なお、接続コード１には、電源部７側の接続子３と制御基板８側の接続体４を設けている。
【００２０】
つぎに、接続コード１の組立作業の手順について説明する。複数本の樹脂被覆電線６、６ａにガラス編組を連続的に編み付ける。所定の長さに編みあがった接続コード１は、図４に示すように、剥離台３５にセットし、適宜カットする。剥離台３５の端面には壁３６を設けており、剥離台３５はトムソン型で知られる上向きで被覆体２の厚みの歯３７を固定し、接続コード１の片方の端面２ａを壁３６に当てて、図５に示すように、接続コード１を１回転させる。
【００２１】
このとき、歯３７の高さが略被覆体２の厚みであるため、歯３７の当接部が被覆体２の厚み分切れて切れ目３８が入る。ここで、切れ目３８は壁３６と歯３７で任意に設定でき、被覆体２を一定の長さ剥離することができる。剥離した後、樹脂被覆電線６、６ａに従来行われているように接続子３を装着する。反対の端面も同様にして接続体４を固定すれば、接続コード１を完成することができる。なお、樹脂被覆電線６、６ａは２本ではなく、３本以上の複数本でもよい。
【００２２】
上記構成において作用を説明する。接続コード１は、樹脂被覆電線６、６ａをガラス編組の被覆体２で固定しているため、接続コード１がループアンテナ化することがなく、また、複数の束線バンド３２をなくし、省資源化、短時間で組立する事ができる。
【００２３】
以上のように、本実施の形態においては、接続コード１は、複数本の樹脂被覆電線６、６ａの外周を略円筒状のガラス編組の被覆体２で固着したので、接続コード１を束ねる束線バンドをなくすことができて省資源化、短時間組立を実現することができるとともに、接続コード１がループアンテナとして作用しないようにできて外部に放射される高周波雑音を少なくすることができ、制御基板８と電源部７との間に発生する高周波雑音をきわめて少なくすることができる。
【００２４】
（実施の形態２）
図６は、本発明の実施の形態２における調理器の要部側面図である。
【００２５】
図６に示すように、コードリール７ａは、電源線７ｂを出入自在に有し、電源部７を構成しており、制御基板８に接続する接続線１を接続している。この接続コード１のコードリール７ａの近傍で被覆体２を除して樹脂被覆電線２０、２０ａを下方にＵ字状に垂下させ、垂下部１０、１０ａを形成している。他の構成は上記実施の形態１と同じである。
【００２６】
上記構成において作用を説明する。接続コード１の樹脂被覆電線２０、２０ａに、万一、水が浸入したとき、水はＵ字状の垂下部１０、１０ａを伝ってコードリール７に達することなく滴下する。その結果、コードリール７ａに水が掛かるのを防止することができる。また、電源部７をコードリール７ａとしたことにより、電源線７ｂを自在に出し入れ可能となる。
【００２７】
以上のように、本実施の形態においては、電源部７は、電源線７ｂを出入自在に有するコードリール７ａで構成したので、電源線７ｂを自在に出し入れすることができ、使い勝手を良化することができる。
【００２８】
また、電源部７側の近傍で接続コード１を下方にＵ字状に垂下する垂下部１０、１０ａを形成したので、万一、調理器本体９内に水が浸入したとき、電源部７に水がかかるのを防止することができる。
【産業上の利用可能性】
【００２９】
以上のように、本発明にかかる調理器は、接続コードを束ねる束線バンドをなくすことができて省資源化、短時間組立を実現することができるとともに、接続コードがループアンテナとして作用しないようにできて外部に放射される高周波雑音を少なくすることができるので、内鍋を誘導加熱する加熱コイルを制御する制御基板と電源部とを接続コードで接続した調理器として有用である。
【図面の簡単な説明】
【００３０】
【図１】本発明の実施の形態１における調理器の一部切欠した側面図
【図２】同調理器の接続コードの平面図
【図３】同調理器の接続コードの拡大断面図
【図４】同調理器の接続コードの組立工程の一部を示す分解斜視図
【図５】同調理器の接続コードの組立工程の一部を示す斜視図
【図６】本発明の実施の形態２における調理器の電源部の側面図
【図７】従来の調理器の誘導加熱コイル周辺の回路図
【図８】従来の調理器の接続コードの拡大断面図
【符号の説明】
【００３１】
１  接続コード
２  被覆体
６  樹脂被覆電線
６ａ  樹脂被覆電線
７  電源部
８  制御基板
９  調理器本体
２１  内鍋
２４  加熱コイル
【図１】
2005197044.tif 000003
【図２】
2005197044.tif 000004
【図３】
2005197044.tif 000005
【図４】
2005197044.tif 000006
【図５】
2005197044.tif 000007
【図６】
2005197044.tif 000008
【図７】
2005197044.tif 000009
【図８】
2005197044.tif 000010